(57)【特許請求の範囲】
【請求項１】
複数の栓刃と配線ダクトへの取り付けのためのダクト取付部とアース端子を備え、レバー操作で、複数の栓刃の接続とダクトへの取り付けを行うようにした配線ダクト用プラグにおいて、前記複数の栓刃とダクト取付部とを備えたプラグ本体と上部に前記アース端子を備えたアース部とを独立に形成し、該プラグ本体とアース部とをベース部材に並設するとともに、プラグ本体とアース部には互いに連動して回動する回動部を設け、レバー操作で、プラグ本体の回動部が回動したときに、アース部の回動部が回動するとともにアース部自体がプラグ本体とは独立して上下移動するようにしたことを特徴とする配線ダクト用プラグ。
【発明の詳細な説明】
【０００１】
【発明の属する技術分野】
本発明は、配線ダクト用プラグに関するものである。
【０００２】
【従来の技術】
従来、配線ダクト用プラグは特開昭５９−９０３７６号公報や特開昭６２−８２６７６号公報等に開示されている。つまり、図３に示すように、プラグ本体１には、一対の栓刃１１、一本のアース端子１２、配線ダクトへの取り付けのためのダクト取付部１３とが設けられている。また、下部にはネジ部１４が形成されており、ナット２によりベース３に固定される。さらに、レバー１５が設けられており、レバー１５を回動させると、ダクト取付部１３が配線ダクト（図示せず）に係合し固定されるとともに一対の栓刃１１が配線ダクト内の導体（図示せず）と接触して、プラグ本体１に接続される照明器具（図示せず）と配線ダクトが電気的に接続されるようになっている。ここで、アース端子１２はバネで形成され弾性を有し、プラグ本体１の上部に突出して設置されている。アース端子１２はプラグ本体１の配線ダクトへの取り付けの際に、配線ダクトに押し当てる力で撓ませて、その力で直接圧接させ導通をとるようにしているのである。
【０００３】
【発明が解決しようとする課題】
しかしながら、上述のような配線ダクト用プラグでは、配線ダクトへの取り付け作業に際して、アース端子１２を配線ダクトに押し当てた状態で行わなければならないので、作業性が悪く、確実にアースがとれない場合があるという問題があった。
【０００４】
本発明は、上記の点に鑑みてなしたものであり、その目的とするところは、配線ダクトへの取り付けに際し、作業性を良くするとともに、確実にアースのとれる配線ダクト用プラグを提供することにある。
【０００５】
【課題を解決するための手段】
請求項１記載の発明は、複数の栓刃と配線ダクトへの取り付けのためのダクト取付部とアース端子を備え、レバー操作で、複数の栓刃の接続とダクトへの取り付けを行うようにした配線ダクト用プラグにおいて、前記複数の栓刃とダクト取付部とを備えたプラグ本体と上部に前記アース端子を備えたアース部とを独立に形成し、該プラグ本体とアース部とをベース部材に並設するとともに、プラグ本体とアース部には互いに連動して回動する回動部を設け、レバー操作で、プラグ本体の回動部が回動したときに、アース部の回動部が回動するとともにアース部自体がプラグ本体とは独立して上下移動するようにしたことを特徴とするものである。
【０００６】
【発明の実施の形態】
以下、本発明の実施の形態の一例を図面に基づき説明する。図１は本発明の一実施形態に係る配線ダクト用プラグの分解斜視図である。本実施形態では、一対の栓刃１１と配線ダクトへの取り付けのためのダクト取付部１３を備えたプラグ本体１０と、弾性を有するアース端子４１を備えたアース部４とを各々分離して設け、ベース３０に並設するようにしている。
【０００７】
プラグ本体１０には、プラグ本体１０を回動させるためのレバー１５が設けられ、下端部には、ベース３０に形成された貫通穴３１を介してナット２によりベース３０に固定するためのネジ１４が形成されている。さらに、周縁部に噛合部１６ａが形成された回動部１６が設けられている。回動部１６はレバー１５の回動に応じて回動する。
【０００８】
アース部４には、下端部に、ベース３０に形成された貫通穴３２を介してベース３０に固定するためのネジ４３部が形成されている。貫通穴３２の内周部にはタップ３３が形成されており、ネジ４３部とで螺合するようになっている。さらに、周縁部に噛合部４２ａが形成された回動部４２が設けられている。
【０００９】
ここで、プラグ本体１０に設けられた回動部１６とアース部４に設けられた回動部４２とは、図２に示すように、プラグ本体１０とアース部４とをベース３０に設置したときには、各々の噛合部１６ａ、４２ａが互いに噛合うようになっている。
【００１０】
従って、本実施形態では、図２に示すように、プラグ本体１０とアース部４とをベース３０に設置した状態から、レバー１５を回動させると、プラグ本体１０が回動し、ダクト取付部１３が配線ダクト（図示せず）に係合し固定されるとともに一対の栓刃１１が配線ダクト内の導体（図示せず）と接触して、プラグ本体１に接続される照明器具（図示せず）と配線ダクトが電気的に接続されるようになっている。ここで、プラグ本体１０の回動部１６の回動に伴って、噛合部１６ａ、４２ａが互いに噛合った回動部４２が回動し、アース部４が回動する。
【００１１】
アース部４はベース３０に対して貫通穴３２のタップ３３とネジ部４３とで螺合されているので、アース部４が回動すると、アース部４は上昇する。アース部４の上昇により、アース部４の上部に突出して取り付けられているアース端子４１が配線ダクト（図示せず）に押し付けられ、電気的に接続され、確実にアースがとれるのである。なお、レバー１５を逆方向に回動させると、アース部４は下降する。
【００１２】
以上のように、本実施形態によれば、レバー１５の回動により、アース部４自体がプラグ本体１０とは独立して上下移動するようにしたので、配線ダクト用プラグの配線ダクトへの取り付けに際し、作業性を良くするとともに、確実にアースがとれるようになる。
【００１３】
【発明の効果】
以上のように、請求項１記載の発明によれば、複数の栓刃と配線ダクトへの取り付けのためのダクト取付部とアース端子を備え、レバー操作で、複数の栓刃の接続とダクトへの取り付けを行うようにした配線ダクト用プラグにおいて、前記複数の栓刃とダクト取付部とを備えたプラグ本体と上部に前記アース端子を備えたアース部とを独立に形成し、該プラグ本体とアース部とをベース部材に並設するとともに、プラグ本体とアース部には互いに連動して回動する回動部を設け、レバー操作で、プラグ本体の回動部が回動したときに、アース部の回動部が回動するとともにアース部自体がプラグ本体とは独立して上下移動するようにしたので、レバー操作により、アース部自体がプラグ本体とは独立して上下移動するようになり、配線ダクト用プラグの配線ダクトへの取り付けに際し、作業性を良くするとともに、確実にアースのとれる配線ダクト用プラグが提供できた。
【図面の簡単な説明】
【図１】本発明の一実施形態に係る配線ダクト用プラグの分解斜視図である。
【図２】同上に係る配線ダクト用プラグの概略構成図である。
【図３】従来例に係る配線ダクト用プラグの概略構成図である。
【符号の説明】
１  プラグ本体
２  ナット
３  ベース
４  アース部
１０  プラグ本体
１１  栓刃
１２  アース端子
１３  ダクト取り付け部
１４  ネジ部
１５  レバー
１６  回動部
１６ａ  噛合部
３０  ベース
３１  貫通孔
３２  貫通孔
３３  タップ
４１  アース端子
４２  回動部
４２ａ  噛合部
４３  ネジ部
【図１】
0003591321.tif 000002
【図２】
0003591321.tif 000003
【図３】
0003591321.tif 000004